(57)【要約】【解決課題】シリンダボア壁の壁温の均一性が高い内燃機関を提供すること。【解決手段】内燃機関のシリンダブロックの溝状冷却水流路の中下部に設置され、全シリンダボアのボア壁のうちの一部のボア壁を保温するためのシリンダボア壁の保温具であり、溝状冷却水流路の中下部のシリンダボア側の全壁面のうちの１つのシリンダボアの壁面又は２つ以上のシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、該付勢兼背面側流れ抑制部材が、該金属基体部材の各ボア部毎に、１つ以上付設されていること、を特徴するシリンダボア壁の保温具。【選択図】図４
2018087579.tif 000002
【特許請求の範囲】
【請求項１】
シリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面又は２つ以上のシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴するシリンダボア壁の保温具。
【請求項２】
４つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つ又は３つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴する請求項１記載のシリンダボア壁の保温具。
【請求項３】
３つのシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴する請求項１記載のシリンダボア壁の保温具。
【請求項４】
２つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水
流れを抑制する付勢兼背面側流れ抑制部材と、からなり、
該付勢兼背面側流れ抑制部材が、該金属基体部材の各ボア部毎に、１つ以上付設されていること、
を特徴する請求項１記載のシリンダボア壁の保温具。
【請求項５】
シリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面又は２つ以上のシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴するシリンダボア壁の保温具。
【請求項６】
４つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つ又は３つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴する請求項５記載のシリンダボア壁の保温具。
【請求項７】
３つのシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴する請求項５記載のシリンダボア壁の保温具。
【請求項８】
２つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴する請求項５記載のシリンダボア壁の保温具。
【請求項９】
請求項１〜８いずれか１項記載のシリンダボア壁の保温具が設置されていることを特徴とする内燃機関。
【請求項１０】
請求項９記載の内燃機関を有することを特徴とする自動車。  
【発明の詳細な説明】
【技術分野】
【０００１】
本発明は、内燃機関のシリンダブロックのシリンダボア壁の溝状冷却水流路側の壁面に接触させて配置される保温具及びそれを備える内燃機関並びに該内燃機関を有する自動車に関する。
【背景技術】
【０００２】
内燃機関では、ボア内のピストンの上死点で燃料の爆発が起こり、その爆発によりピストンが押し下げられるという構造上、シリンダボア壁の上側は温度が高くなり、下側は温度が低くなる。そのため、シリンダボア壁の上側と下側では、熱変形量に違いが生じ、上側は大きく膨張し、一方、下側の膨張が小さくなる。
【０００３】
その結果、ピストンのシリンダボア壁との摩擦抵抗が大きくなり、これが、燃費を下げる要因となっているので、シリンダボア壁の上側と下側とで熱変形量の違いを少なくすることが求められている。
【０００４】
そこで、従来より、シリンダボア壁の壁温を均一にするために、溝状冷却水流路内にスペーサーを設置し、溝状冷却水流路内の冷却水の水流を調節して、冷却水によるシリンダボア壁の上側の冷却効率と及び下側の冷却効率を制御することが試みられてきた。例えば、特許文献１には、内燃機関のシリンダブロックに形成された溝状冷却用熱媒体流路内に配置されることで溝状冷却用熱媒体流路内を複数の流路に区画する流路区画部材であって、前記溝状冷却用熱媒体流路の深さに満たない高さに形成され、前記溝状冷却用熱媒体流路内をボア側流路と反ボア側流路とに分割する壁部となる流路分割部材と、前記流路分割部材から前記溝状冷却用熱媒体流路の開口部方向に向けて形成され、かつ先端縁部が前記溝状冷却用熱媒体流路の一方の内面を越えた形に可撓性材料で形成されていることにより、前記溝状冷却用熱媒体流路内への挿入完了後は自身の撓み復元力により前記先端縁部が前記内面に対して前記溝状冷却用熱媒体流路の深さ方向の中間位置にて接触することで前記ボア側流路と前記反ボア側流路とを分離する可撓性リップ部材と、を備えたことを特徴とする内燃機関冷却用熱媒体流路区画部材が開示されている。
【先行技術文献】
【特許文献】
【０００５】
【特許文献１】特開２００８−３１９３９号公報（特許請求の範囲）
【発明の開示】
【発明が解決しようとする課題】
【０００６】
ところが、引用文献１の内燃機関冷却用熱媒体流路区画部材は、強くシリンダボア壁に押し付けることができないので、エンジンの振動により、溝状冷却水流路内で、動いてしまうという問題があった。
【０００７】
また、シリンダボア壁の壁温の全てが同じ温度ということはなく、温度差があるため、保温が必要な箇所を選択的に保温する必要がある。しかし、引用文献１の内燃機関冷却用熱媒体流路区画部材では、全てのシリンダボア壁を同様に保温することしかできないという問題があった。
【０００８】
従って、本発明の課題は、シリンダボア壁のうちの保温が必要な箇所を選択的に保温ができ且つ振動や冷却水の流れによる位置ずれを起こし難いシリンダボア壁の保温具を提供することにある。
【課題を解決するための手段】
【０００９】
上記従来技術における課題は、以下に示す本発明により解決される。すなわち、本発明（１）は、シリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面又は２つ以上のシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴するシリンダボア壁の保温具を提供するものである。
【００１０】
また、本発明（２）は、４つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つ又は３つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴する（１）のシリンダボア壁の保温具を提供するものである。
【００１１】
また、本発明（３）は、３つのシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴する（１）のシリンダボア壁の保温具を提供するものである。
【００１２】
また、本発明（４）は、２つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体
部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴する（１）のシリンダボア壁の保温具を提供するものである。
【００１３】
また、本発明（５）は、シリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面又は２つ以上のシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴するシリンダボア壁の保温具を提供するものである。
【００１４】
また、本発明（６）は、４つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つ又は３つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴する（５）のシリンダボア壁の保温具を提供するものである。
【００１５】
また、本発明（７）は、３つのシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴する（５）のシリンダボア壁の保温具を提供するものである。
【００１６】
また、本発明（８）は、２つ以上のシリンダボアを有する内燃機関のシリンダブロックの溝状冷却水流路の中下部に設置され、全シリンダボアのボア壁のうちの一部のボア壁を
保温するためのシリンダボア壁の保温具であり、
溝状冷却水流路の中下部のシリンダボア側の全壁面のうちの１つのシリンダボアの壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴する（５）シリンダボア壁の保温具を提供するものである。
【００１７】
また、本発明（９）は、（１）〜（８）いずれかのシリンダボア壁の保温具が設置されていることを特徴とする内燃機関を提供するものである。
【００１８】
また、本発明（１０）は、（９）の内燃機関を有することを特徴とする自動車を提供するものである。
【発明の効果】
【００１９】
本発明によれば、シリンダボア壁のうちの保温が必要な箇所を選択的に保温ができ且つ振動や冷却水の流れによる位置ずれを起こし難いシリンダボア壁の保温具を提供することができる。
【図面の簡単な説明】
【００２０】
【図１】本発明のシリンダボア壁の保温具が設置されるシリンダブロックの形態例を示す模式的な平面図である。
【図２】図１のｘ−ｘ線断面図である。
【図３】図１に示すシリンダブロックの斜視図である。
【図４】本発明のシリンダボア壁の保温具の形態例を示す模式的な斜視図である。
【図５】図４に示すシリンダボア壁の保温具を上側から見た平面図である。
【図６】図４に示すシリンダボア壁の保温具を保温用ゴム部材側から見た側面図である。
【図７】図４に示すシリンダボア壁の保温具を付勢兼背面側流れ抑制部材側から見た側面図である。
【図８】図１に示すシリンダブロック１１に、シリンダボア壁の保温具２０を設置する様子を示す模式図である。
【図９】図１に示すシリンダブロック１１に、シリンダボア壁の保温具２０が設置されている様子を示す模式図である。
【図１０】図９のｘ−ｘ線で切ったときの端面図である。
【図１１】シリンダボア壁の保温具の製造方法の形態例を示す模式図である。
【図１２】シリンダボア壁の保温具の製造方法の形態例を示す模式図である。
【図１３】シリンダボア壁の保温具の製造方法の形態例を示す模式図である。
【図１４】シリンダボア壁の保温具の製造方法の形態例を示す模式図である。
【図１５】シリンダボア壁の保温具の製造方法の形態例を示す模式図である。
【図１６】本発明のシリンダボア壁の保温具の他の形態例を示す模式図である。
【図１７】本発明のシリンダボア壁の保温具の他の形態例を示す模式図である。
【図１８】本発明のシリンダボア壁の保温具の他の形態例を示す模式図である。
【図１９】図１に示すシリンダブロック１１に、シリンダボア壁の保温具３０が設置されている様子を示す模式図である。
【図２０】図１に示すシリンダブロック１１に、シリンダボア壁の保温具３１が設置されている様子を示す模式図である。
【図２１】付勢部材の付設方法の他の形態例を示す模式図である。
【発明を実施するための形態】
【００２１】
本発明のシリンダボア壁の保温具及び本発明の内燃機関について、図１〜図１０を参照して説明する。図１〜図３は、本発明のシリンダボア壁の保温具が設置されるシリンダブロックの形態例を示すものであり、図１は、本発明のシリンダボア壁の保温具が設置されるシリンダブロックを示す模式的な平面図であり、図２は、図１のｘ−ｘ線断面図であり、図３は、図１に示すシリンダブロックの斜視図である。図４〜図７は、本発明のシリンダボア壁の保温具の形態例を示すものであり、図４は、本発明のシリンダボア壁の保温具の形態例を示す模式的な斜視図であり、図４（Ａ）は、保温用ゴム部材側から見た斜視図であり、図４（Ｂ）は、付勢兼背面側流れ抑制部材側から見た斜視図であり、図５は、図４に示すシリンダボア壁の保温具を上側から見た平面図であり、図６は、図４に示すシリンダボア壁の保温具を保温用ゴム部材側から見た側面図であり、図７は、図４に示すシリンダボア壁の保温具を付勢兼背面側流れ抑制部材側から見た側面図である。図８は、図１に示すシリンダブロック１１に、シリンダボア壁の保温具２０を設置する様子を示す模式図であり、図９は、図１に示すシリンダブロック１１に、シリンダボア壁の保温具２０が設置されている様子を示す模式図であり、図１０は、図９のｘ−ｘ線で切ったときの端面図である。
【００２２】
図１〜図３に示すように、シリンダボア壁の保温具が設置される車両搭載用内燃機関のオープンデッキ型のシリンダブロック１１には、ピストンが上下するためのボア１２、及び冷却水を流すための溝状冷却水流路１４が形成されている。そして、ボア１２と溝状冷却水流路１４とを区切る壁が、シリンダボア壁１３である。また、シリンダブロック１１には、溝状冷却水流路１１へ冷却水を供給するための冷却水供給口１５及び冷却水を溝状冷却水流路１１から排出するための冷却水排出口１６が形成されている。
【００２３】
このシリンダブロック１１には、２つ以上のボア１２が直列に並ぶように形成されている。そのため、ボア１２には、１つのボアに隣り合っている端ボア１２ａ１、１２ａ２と、２つのボアに挟まれている中間ボア１２ｂ１、１２ｂ２とがある（なお、シリンダブロックのボアの数が２つの場合は、端ボアのみである。）。直列に並んだボアのうち、端ボア１２ａ１、１２ａ２は両端のボアであり、また、中間ボア１２ｂ１、１２ｂ２は、一端の端ボア１２ａ１と他端の端ボア１２ａ２の間にあるボアである。
【００２４】
また、本発明では、溝状冷却水流路１４の壁面のうち、シリンダボア１３側の壁面を、溝状冷却水流路のシリンダボア側の壁面１７と記載し、溝状冷却水流路１４の壁面のうち、溝状冷却水流路のシリンダボア側の壁面１７とは反対側の壁面を壁面１８と記載する。
【００２５】
図４〜図７に示すシリンダボア壁の保温具２０は、金属基体部材２１と、保温用ゴム部材２２と、背面側ゴム部材２３と、からなる。
【００２６】
保温用ゴム部材２２は、上から見たときに、２つの円弧が連続する形状に成形されており、保温用ゴム部材２２の接触面２５側の形状は、溝状冷却水流路１４の中下部のシリンダボア側の壁面に沿う形状である。保温用ゴム部材２２は、金属基体部材２１の上側及び下側に形成されている折り曲げ部２４が折り曲げられて、金属基体部材２１と折り曲げ部２４の間に挟み込まれることにより、金属基体部材２１に固定されている。保温用ゴム部材２２では、金属基体部材２１側とは反対側の保温用ゴム部材２２の面が、溝状冷却水流路の中下部のシリンダボア側の壁面１７に接する接触面２５である。
【００２７】
金属基体部材２１は、上から見たときに、２つの円弧が連続する形状に成形されており
、金属基体部材２１の形状は、保温用ゴム部材２２の背面側（接触面２５側とは反対側の面）に沿う形状である。
【００２８】
シリンダボア壁の保温具２０の保温用ゴム部材２２は、溝状冷却水流路１４の中下部のボア側の壁面うち、中間ボア１２ｂ１側の壁面に接する保温用ゴム部材各ボア部３６ａと、中間ボア１２ｂ２側の壁面に接する保温用ゴム部材各ボア部３６ｂと、からなる。そして、保温用ゴム部材の各ボア部３６ａは、中間ボア１２ｂ１のボア壁１３ｂ１を保温するための部位であり、保温用ゴム部材の各ボア部３６ｂは、中間ボア１２ｂ２のボア壁１３ｂ２を保温するための保温用ゴム部材の部位である。
【００２９】
シリンダボア壁の保温具２０の金属基体部材２１は、保温用ゴム部材の各ボア部３６ａが固定される金属基体部材の各ボア部３８ａと、保温用ゴム部材の各ボア部３６ｂが固定される金属基体部材の各ボア部３８ｂと、からなる。金属基体部材２１は、１つの金属板で形成されている。よって、シリンダボア壁の保温具２０の金属基体部材２１は、一端３９ａから他端３９ｂまでが、繋がっている。
【００３０】
金属基体部材２１の背面側（保温用ゴム部材が固定されている面とは反対側）には、背面側ゴム部材２３が固定されている。背面側ゴム部材２３は、上から見たときに、円弧形状に成形されており、背面側ゴム部材２３の接触面２６側の形状は、溝状冷却水流路１４の中下部のシリンダボア側の壁面とは反対側の壁面１８に沿う形状である。背面側ゴム部材２３は、金属基体部材２１の背面側に、接着剤で接着されることにより、金属基体部材２１に固定されている。背面側ゴム部材２３では、金属基体部材２１側とは反対側の背面側ゴム部材２３の面が、溝状冷却水流路の中下部のシリンダボア側の壁面とは反対側の壁面１８に接する接触面２６である。
【００３１】
シリンダボア壁の保温具２０は、例えば、図１に示すシリンダブロック１１の溝状冷却水流路１４の中下部に設置される。図８に示すように、シリンダボア壁の保温具２０を、シリンダブロック１１の溝状冷却水流路１４に挿入して、図９及び図１０に示すように、シリンダボア壁の保温具２０を、溝状冷却水流路１４の中下部に設置する。シリンダボア壁の保温具２０は、保温用ゴム部材２２の形状が、溝状冷却水流路の中下部のシリンダボア側の全壁面１７のうち、２つのシリンダボア１２ｂ１及び１２ｂ２側の壁面に沿った形状をしているので、シリンダボア壁の保温具２０は、シリンダボア１２ｂ１及び１２ｂ２側の壁面に、保温用ゴム部材２２が接触するように、溝状冷却水流路１４の中下部に設置される。
【００３２】
このとき、シリンダボア壁の保温具２０では、保温用ゴム部材２２の接触面２５から背面側ゴム部材２３の接触面２６までの距離が、溝状冷却水流路１４の幅よりも大きくなるように、背面側ゴム部材２３が付設されている。そのため、シリンダボア壁の保温具２０が、溝状冷却水流路１４の中下部に設置されると、背面側ゴム部材２３が、金属基体部材２１及び保温用ゴム部材２２と溝状冷却水流路の中下部のシリンダボア側の壁面とは反対側の壁面１８との間に挟まれることにより、背面側ゴム部材２３には、元に戻ろうとする弾性力が生じる。そして、この弾性力により、金属基体部材２１は、溝状冷却水流路のシリンダボア側の壁面１７に向かって押され、その結果、金属基体部材２１により、保温用ゴム部材２２が、溝状冷却水流路のシリンダボア側の壁面１７に押し付けられる。つまり、シリンダボア壁の保温具２０が、溝状冷却水流路１４の中下部に設置されることにより、背面側ゴム部材２３に弾性力が生じ、この弾性力により、保温用ゴム部材２２を溝状冷却水流路のシリンダボア側の壁面１７に押し付けるように、金属基体部材２１が付勢される。このようにして、シリンダボア壁の保温具２０は、保温用ゴム部材２２が、溝状冷却水流路の中下部のシリンダボア側の全壁面１７のうちの２つのシリンダボア１２ｂ１及び１２ｂ２のボア側の壁面に接触する。
【００３３】
また、金属基体部材２１と、溝状冷却水流路の中下部のシリンダボア側の壁面とは反対側の壁面１８と、の間には、中下部の上下方向の全体に亘って、背面側ゴム部材２３が存在しているので、背面側ゴム部材２３により、金属基体部材２１と溝状冷却水流路の中下部のシリンダボア側の壁面とは反対側の壁面１８との間に冷却水が流れることが抑制される。
【００３４】
このように、背面側ゴム部材２３は、金属基体部材２１を付勢するための部材兼金属基体部材２１と溝状冷却水流路の中下部のシリンダボア側の壁面とは反対側の壁面１８との間に冷却水が流れることを抑制するための部材として機能する。
【００３５】
シリンダボア壁の保温具２０は、例えば、図１１〜図１５に示す方法により製造される。なお、本発明のシリンダボア壁の保温具は、以下に示す方法により製造されるものに限定されるものではない。
【００３６】
先ず、図１１に示す矩形の金属板３０から、点線で示す切り落とし部分３１を切り落とし、図１２に示す成形前の金属基体部材２１を作製する。金属基体部材２１には、上側及び下側に、折り曲げ部２４が形成されている。
【００３７】
次いで、図１３に示すように、成形前の金属基体部材２１を、保温用ゴム部材２２の背面側（図１４に示す保温用ゴム部材２２の背面３３側）に沿う形状に成形する。
【００３８】
次いで、図１４に示すように、接触面２５側が溝状冷却水流路１４の中下部のシリンダボア側の壁面１７に沿う形状に成形された保温用ゴム部材２２と、成形後の金属基体部材２１を合わせる。
【００３９】
次いで、図１５に示すように、折り曲げ部２４を保温用ゴム部材側に折り曲げて、折り曲げ部２４と金属基体部材２１とで保温用ゴム部材２２を挟み込むことにより、金属基体部材２１に保温用ゴム部材２２を固定する。更に、金属基体部材２１の背面側３４に、背面側ゴム部材２３を接着剤で張り合わせて、シリンダボア壁の保温具を得る。
【００４０】
本発明のシリンダボア壁の保温具は、シリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面又は２つ以上のシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴するシリンダボア壁の保温具である。
【００４１】
本発明のシリンダボア壁の保温具としては、以下に示す本発明の第一の形態のシリンダボア壁の保温具、本発明の第二の形態のシリンダボア壁の保温具、本発明の第三の形態のシリンダボア壁の保温具が挙げられる。
【００４２】
本発明の第一の形態のシリンダボア壁の保温具（以下、本発明のシリンダボア壁の保温
具（１）とも記載する。）は、４つ以上のシリンダボアを有する内燃機関のシリンダブロックの溝状冷却水流路の中下部に設置され、全シリンダボアのボア壁のうちの一部のボア壁を保温するための保温具であり、
溝状冷却水流路の中下部のシリンダボア側の全壁面のうちの２つ又は３つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴するシリンダボア壁の保温具である。
【００４３】
本発明の第二の形態のシリンダボア壁の保温具（以下、本発明のシリンダボア壁の保温具（２）とも記載する。）は、３つのシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴するシリンダボア壁の保温具である。
【００４４】
本発明の第三の形態のシリンダボア壁の保温具（以下、本発明のシリンダボア壁の保温具（３）とも記載する。）は、２つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢すると共に、該金属基体部材と溝状冷却水流路の中下部のシリンダボア側の壁面とは反対側の壁面との間の冷却水流れを抑制する付勢兼背面側流れ抑制部材と、からなり、
該付勢兼背面側流れ抑制部材が、該金属基体部材の各ボア部毎に、１つ以上付設されていること、
を特徴するシリンダボア壁の保温具である。
【００４５】
本発明のシリンダボア壁の保温具（１）と本発明のシリンダボア壁の保温具（２）と本発明のシリンダボア壁の保温具（３）とは、保温具が設置されるシリンダブロックのシリンダボアの数が異なること及びゴム部材各ボア部の数が異なること以外は同様である。
【００４６】
本発明のシリンダボア壁の保温具（１）、（２）又は（３）は、内燃機関のシリンダブロックの溝状冷却水流路の中下部に設置される。本発明のシリンダボア壁の保温具（１）が設置されるシリンダブロックは、シリンダボアが直列に４つ以上並んで形成されているオープンデッキ型のシリンダブロックであるので、２つの端ボアと２つ以上の中間ボアとからなるシリンダボアを有している。また、本発明のシリンダボア壁の保温具（２）が設
置されるシリンダブロックは、シリンダボアが直列に３つ並んで形成されているオープンデッキ型のシリンダブロックであるので、２つの端ボアと１つの中間ボアとからなるシリンダボアを有している。本発明のシリンダボア壁の保温具（３）が設置されるシリンダブロックは、シリンダボアが直列に２つ以上並んで形成されているオープンデッキ型のシリンダブロックであるので、２つの端ボアからなるシリンダボア又は２つの端ボアと１つ以上の中間ボアとからなるシリンダボアを有している。なお、本発明では、直列に並んだシリンダボアのうち、両端のボアを端ボアと呼び、両側が他のシリンダボアで挟まれているボアを中間ボアと呼ぶ。
【００４７】
本発明のシリンダボア壁の保温具（１）、（２）又は（３）が設置される位置は、溝状冷却水流路の中下部である。図２では、溝状冷却水流路１４の最上部９と最下部８の中間近傍の位置１０を、点線で示しているが、この中間近傍の位置１０から下側の溝状冷却水流路１４の部分を、溝状冷却水流路の中下部と呼ぶ。なお、溝状冷却水流路の中下部とは、溝状冷却水流路の最上部と最下部の丁度中間の位置から下の部分という意味ではなく、最上部と最下部の中間位置の近傍から下の部分という意味である。よって、溝状冷却水流路の最下部からどの位置までを本発明の保温具で保温するか、つまり、保温用ゴム部材の上端の位置を溝状冷却水流路の上下方向のどの位置にするかは、適宜選択される。
【００４８】
保温用ゴム部材は、溝状冷却水流路の中下部のシリンダボア側の壁面に接することにより、シリンダボア壁の中下部を保温する部材である。そのため、この保温用ゴム部材の接触面側の形状は、溝状冷却水流路の中下部のシリンダボア側の壁面に沿う形状である。そして、本発明のシリンダボア壁の保温具（１）、（２）又は（３）が、溝状冷却水流路の中下部に設置されることにより、付勢兼背面側流れ抑制部材が金属基体部材を押し、そのことにより、保温用ゴム部材は、接触面側（金属基体部材側とは反対側の面側）が、溝状冷却水流路の中下部のシリンダボア側の壁面に接し、押し付けられる。
【００４９】
保温用ゴム部材の材質としては、例えば、ソリッドゴム、膨張ゴム、発泡ゴム、軟性ゴム等のゴム、シリコーン系ゲル状素材等が挙げられる。そして、ゴム部材の材質としては、シリンダボア壁の保温具を溝状冷却水流路内に設置するときに、ゴム部材がシリンダボア壁に強く接触して、ゴム部材が削られるのを防ぐことができる点で、シリンダボア壁の保温具の設置後に、溝状冷却水流路内でゴム部材部分を膨張させることができる感熱膨張ゴム又は水膨潤性ゴムが好ましい。
【００５０】
ソリッドゴムの組成としては、天然ゴム、ブタジエンゴム、エチレンプロピレンジエンゴム（ＥＰＤＭ）、ニトリルブタジエンゴム（ＮＢＲ）、シリコーンゴム、フッ素ゴム等が挙げられる。
【００５１】
膨張ゴムとしては、感熱膨張ゴムが挙げられる。感熱膨張ゴムは、ベースフォーム材にベースフォーム材より融点が低い熱可塑性物質を含浸させ圧縮した複合体であり、常温では少なくともその表層部に存在する熱可塑性物質の硬化物により圧縮状態が保持され、且つ、加熱により熱可塑性物質の硬化物が軟化して圧縮状態が開放される材料である。感熱膨張ゴムとしては、例えば、特開２００４−１４３２６２号公報に記載の感熱膨張ゴムが挙げられる。保温用ゴム部材の材質が感熱膨張ゴムの場合は、本発明のシリンダボア壁の保温具が溝状冷却水流路の中下部に設置され、感熱膨張ゴムに熱が加えられることで、感熱膨張ゴムが膨張して、所定の形状に膨張変形する。
【００５２】
感熱膨張ゴムに係るベースフォーム材としては、ゴム、エラストマー、熱可塑性樹脂、熱硬化性樹脂等の各種高分子材料が挙げられ、具体的には、天然ゴム、クロロプロピレンゴム、スチレンブタジエンゴム、ニトリルブタジエンゴム、エチレンプロピレンジエン三元共重合体、シリコーンゴム、フッ素ゴム、アクリルゴム等の各種合成ゴム、軟質ウレタ
ン等の各種エラストマー、硬質ウレタン、フェノール樹脂、メラミン樹脂等の各種熱硬化性樹脂が挙げられる。
【００５３】
感熱膨張ゴムに係る熱可塑性物質としては、ガラス転移点、融点又は軟化温度のいずれかが１２０℃未満であるものが好ましい。感熱膨張ゴムに係る熱可塑性物質としては、ポリエチレン、ポリプロピレン、ポリスチレン、ポリ塩化ビニル、ポリ塩化ビニリデン、ポリ酢酸ビニル、ポリアクリル酸エステル、スチレンブタジエン共重合体、塩素化ポリエチレン、ポリフッ化ビニリデン、エチレン酢酸ビニル共重合体、エチレン酢酸ビニル塩化ビニルアクリル酸エステル共重合体、エチレン酢酸ビニルアクリル酸エステル共重合体、エチレン酢酸ビニル塩化ビニル共重合体、ナイロン、アクリロニトリルブタジエン共重合体、ポリアクリロニトリル、ポリ塩化ビニル、ポリクロロプレン、ポリブタジエン、熱可塑性ポリイミド、ポリアセタール、ポリフェニレンサルファイド、ポリカーボネート、熱可塑性ポリウレタン等の熱可塑性樹脂、低融点ガラスフリット、でんぷん、はんだ、ワックス等の各種熱可塑性化合物が挙げられる。
【００５４】
また、膨張ゴムとしては、水膨潤性ゴムが挙げられる。水膨潤性ゴムは、ゴムに吸水性物質が添加された材料であり、水を吸収して膨潤し、膨張した形状を保持する保形性を有するゴム材である。水膨潤性ゴムとしては、例えば、ポリアクリル酸中和物の架橋物、デンプンアクリル酸グラフト共重合体架橋物、架橋カルボキシメチルセルロース塩、ポリビニルアルコール等の吸水性物質がゴムに添加されたゴム材が挙げられる。また、水膨潤性ゴムとしては、例えば、特開平９−２０８７５２号公報に記載されているケチミン化ポリアミド樹脂、グリシジルエーテル化物、吸水性樹脂及びゴムを含有する水膨潤性ゴムが挙げられる。保温用ゴム部材の材質が水膨潤性ゴムの場合は、本発明のシリンダボア壁の保温具が溝状冷却水流路の中下部に設置され冷却水が流されて、水膨潤性ゴムが水を吸収することで、水膨潤性ゴムが膨張して所定の形状に膨張変形する。
【００５５】
発泡ゴムは、多孔質のゴムである。発泡ゴムとしては、連続気泡構造を有するスポンジ状の発泡ゴム、独立気泡構造を有する発泡ゴム、半独立発泡ゴム等があげられる。発泡ゴムの材質としては、具体的には、例えば、エチレンプロピレンジエン三元共重合体、シリコーンゴム、ニトリルブタジエン共重合体、シリコーンゴム、フッ素ゴム等が挙げられる。発泡ゴムの発泡率は、特に制限されず、適宜選択され、発泡率を調節することにより、保温用ゴム部材の含水率を調節することができる。なお、発泡ゴムの発泡率とは、（（発泡前密度−発泡後密度）／発泡前密度）×１００で表される発泡前後の密度割合を指す。
【００５６】
保温用ゴム部材の材質が水膨潤性ゴム、発泡ゴムのように、含水することができる材料の場合、本発明のシリンダボア壁の保温具が、溝状冷却水流路内に設置され、溝状冷却水流路に冷却水が流されたときに、保温用ゴム部材が含水する。溝状冷却水流路に冷却水が流されたときに、保温用ゴム部材の含水率を、どのような範囲とするかは、内燃機関の運転条件等により、適宜選択される。なお、含水率とは、（冷却水重量／（充填剤重量＋冷却水重量））×１００で表される重量含水率を指す。
【００５７】
保温用ゴム部材の厚みは、特に制限されず、適宜選択される。
【００５８】
金属基体部材は、保温用ゴム部材及び付勢兼背面側流れ抑制部材が固定される部材である。この金属基体部材は、付勢兼背面側流れ抑制部材による付勢力により押されることにより、保温用ゴム部材を溝状冷却水流路の中下部のシリンダボア側の壁面に均一に押し付ける部材である。そのため、金属基体部材の形状は、保温用ゴム部材の背面側（接触面とは反対側の面側）に沿う形状である。
【００５９】
金属基体部材の材質としては、特に制限されないが、耐ロングライフクーラント性（以
下、「耐ＬＬＣ性」と言う。）が良く及び強度が高い点で、ステンレス鋼（ＳＵＳ）、アルミニウム合金等が好ましい。金属基体部材の厚みは、特に制限されず、適宜選択される。
【００６０】
付勢兼背面側流れ抑制部材は、金属基体部材の背面側に固定されている。この付勢兼背面側流れ抑制部材は、本発明のシリンダボア壁の保温具が溝状冷却水流路の中下部に設置されることにより、溝状冷却水流路の中下部のシリンダボア側の壁面に向かって、金属基体部材が保温用ゴム部材を押し付けるように付勢するための部材であると共に、金属基体部材と溝状冷却水流路の中下部のシリンダボア側の壁面とは反対側の壁面との間を流れる冷却水流れを抑制するための部材である。なお、金属基体部材の背面側とは、保温用ゴム部材が固定される面とは反対側を指す。
【００６１】
付勢兼背面側流れ抑制部材の材質は、本発明のシリンダボア壁の保温具が、溝状冷却水流路の中下部に設置された時に、溝状冷却水流路の中下部のシリンダボア側の壁面に向かって、金属基体部材が保温用ゴム部材を押し付けるように付勢することができるものであれば、特に制限されない。付勢兼背面側流れ抑制部材の材質としては、例えば、ソリッドゴム、膨張ゴム、発泡ゴム、軟性ゴム等のゴムや、シリコーン系ゲル状素材等が挙げられる。付勢兼背面側流れ抑制部材に係るソリッドゴム、膨張ゴム、発泡ゴム、軟性ゴム等のゴム、シリコーン系ゲル状素材は、保温用ゴム部材に係るソリッドゴム、膨張ゴム、発泡ゴム、軟性ゴム等のゴム、シリコーン系ゲル状素材と同様である。また、付勢兼背面側流れ抑制部材の材質としては、熱可塑性樹脂又は熱硬化性樹脂等の樹脂が挙げられる。
【００６２】
付勢兼背面側流れ抑制部材の形状は、本発明のシリンダボア壁の保温具が、溝状冷却水流路の中下部に設置された時に、金属基体部材の背面側と溝状冷却水流路の中下部のシリンダボア側の壁面とは反対側の壁面との間の冷却水流れを抑制できる形状であれば、特に制限されない。例えば、図４に示す形態例では、溝状冷却水流路の中下部の上下方向のほぼ全体に、付勢兼背面側流れ抑制部材が配置される形状であるが、金属基体部材の背面側と溝状冷却水流路の中下部のシリンダボア側の壁面とは反対側の壁面との間の冷却水流れが抑制される形状であればよく、他には、例えば、溝状冷却水流路の中下部の上下方向の一部に、付勢兼背面側流れ抑制部材が配置される形状が挙げられる。また、図４に示す形態例では、冷却水の流れ方向に見たとき（上から見たとき）に、金属基体部材の背面側と溝状冷却水流路の中下部のシリンダボア側の壁面とは反対側の壁面との隙間のほぼ全体を埋めるように、付勢兼背面側流れ抑制部材が配置される形状であるが、金属基体部材の背面側と溝状冷却水流路の中下部のシリンダボア側の壁面とは反対側の壁面との間の冷却水流れが抑制される形状であればよく、他には、例えば、後述する図１７に示す形態例のように、冷却水の流れ方向に見たとき（上から見たとき）に、金属基体部材の背面側と溝状冷却水流路の中下部のシリンダボア側の壁面とは反対側の壁面との隙間の一部分を埋めるように、付勢兼背面側流れ抑制部材が配置される形状が挙げられる。
【００６３】
図４に示すシリンダボア壁の保温具２０では、保温用ゴム部材は、金属基体部材の上側及び下側に形成された折り曲げ部を、保温用ゴム部材側に折り曲げ、折り曲げ部と金属基体部材で保温用ゴム部材を挟み込むことにより、また、付勢兼背面側流れ抑制部材は、金属基体部材の背面側に接着剤を用いて接着することにより、それぞれ、金属基体部材に固定されているが、保温用ゴム部材及び付勢兼背面側流れ抑制部材の金属基体部材への固定方法は、特に制限されない。他の固定方法としては、例えば、保温用ゴム部材又は付勢兼背面側流れ抑制部材を金属基体部材に加熱融着させる方法、金属基体部材に突起部を設け、その突起部を保温用ゴム部材又は付勢兼背面側流れ抑制部材に嵌入させる方法等が挙げられる。
【００６４】
本発明のシリンダボア壁の保温具（１）又は（２）では、保温対象が隣り合う２つのシ
リンダボアのボア壁、すなわち、２つのシリンダボアに亘る分のボア壁の場合、保温用ゴム部材は、シリンダボアのボア壁の溝状冷却水流路側の全壁面（すなわち、溝状冷却水流路のシリンダボア側の全壁面）のうち、その２つのシリンダボアに亘る分のボア壁の壁面（すなわち、その２つのシリンダボアに亘る分の溝状冷却水流路のシリンダボア側の壁面）且つ中下部の壁面と接触し、また、保温対象が連続して並ぶ３つのシリンダボアのボア壁、すなわち、３つのシリンダボアに亘る分のボア壁の場合、保温用ゴム部材は、シリンダボアのボア壁の溝状冷却水流路側の全壁面（すなわち、溝状冷却水流路のシリンダボア側の全壁面）のうち、その３つのシリンダボアに亘る分のボア壁の壁面（すなわち、その３つのシリンダボアに亘る分の溝状冷却水流路のシリンダボア側の壁面）且つ中下部の壁面と接触する。本発明では、保温対象となる１つ、２つ又は３つのシリンダボアのボア壁のうち、１つのシリンダボアのボア壁を保温するための保温用ゴム部材の部位を、保温用ゴム部材各ボア部と呼ぶ。よって、本発明のシリンダボア壁の保温具（１）又は（２）では、保温対象が２つのシリンダボアのボア壁の場合、保温用ゴム部材は、２つの保温用ゴム部材各ボア部からなり、また、保温対象が３つのシリンダボアのボア壁の場合、保温用ゴム部材は、３つの保温用ゴム部材各ボア部からなる。そして、本発明のシリンダボア壁の保温具（１）又は（２）が設置される位置、言い換えると、保温用ゴム部材が接触する溝状冷却水流路の中下部のシリンダボア側の壁面は、一端の端ボア側の壁面、他端の端ボア側の壁面、又は中間ボア側の壁面である。本発明のシリンダボア壁の保温具（１）又は（２）において、保温用ゴム部材は、一端の端ボア側の壁面、他端の端ボア側の壁面及び１つ以上の中間ボア側の壁面の各壁面のうちの２つ又は３つに接触する部位を有している。また、本発明のシリンダボア壁の保温具（３）では、保温対象が１つのシリンダボアのボア壁であるので、保温用ゴム部材は、シリンダボアのボア壁の溝状冷却水流路側の全壁面（すなわち、溝状冷却水流路のシリンダボア側の全壁面）のうち、その１つのシリンダボアのボア壁の壁面（すなわち、その１つのシリンダボアの溝状冷却水流路のシリンダボア側の壁面）且つ中下部の壁面と接触する。本発明のシリンダボア壁の保温具（３）では、保温用ゴム部材は、１つの保温用ゴム部材各ボア部からなる。そして、本発明のシリンダボア壁の保温具（３）が設置される位置、言い換えると、保温用ゴム部材が接触する溝状冷却水流路の中下部のシリンダボア側の壁面は、一端の端ボア側の壁面、他端の端ボア側の壁面、又は中間ボア側の壁面である。本発明のシリンダボア壁の保温具（３）において、保温用ゴム部材は、一端の端ボア側の壁面、他端の端ボア側の壁面及び中間ボア側の壁面の各壁面のうちの１つに接触する部位を有している。
【００６５】
図４に示す形態例では、２つの保温用ゴム部材各ボア部３６ａ及び３６ｂが連続しているが、本発明は、これに制限されるものではない。本発明のシリンダボア壁の保温具（１）又は（２）の他の形態例としては、例えば、図１６に示す形態例のように、保温用ゴム部材が、各シリンダボアのボア側の壁面に対応する部位毎に分割されている形態例が挙げられる。また、本発明のシリンダボア壁の保温具（１）又は（２）の他の形態例としては、図１６に示す形態例の各シリンダボアのボア側の壁面に対応する部位毎に付設されている保温用ゴム部材が、更に、複数に分割されている形態例が挙げられる。このように、本発明のシリンダボア壁の保温具（１）又は（２）では、全ての保温用ゴム部材各ボア部が、連続していてもよいし、あるいは、連続していなくてもよい。そして、本発明のシリンダボア壁の保温具（１）又は（２）では、全ての保温用ゴム部材各ボア部が連続していることが、シリンダボア壁の保温具が、溝状冷却水流路内で、振動や冷却水の流れによる位置ずれを起こし難くなる点で好ましい。
【００６６】
また、本発明のシリンダボア壁の保温具（３）では、保温用ゴム部材（１つの保温用ゴム部材各ボア部）が、一続きのものであってもよいし、あるいは、複数に分割されていてもよい。
【００６７】
なお、本発明のシリンダボア壁の保温具（１）、（２）又は（３）において、保温用ゴ
ム部材は、溝状冷却水流路の中下部のシリンダボア側の壁面のうち、保温対象となる壁面（保温対象となる１つ、２つ又は３つのシリンダボアのボア壁の溝状冷却水流路側の壁面）の全て隈なく覆うものであってもよいし、あるいは、保温対象となる壁面の一部であって且つ保温のために必要な箇所のみを覆うものであってもよい。
【００６８】
本発明のシリンダボア壁の保温具（１）又は（２）では、金属基体部材は、２つ又は３つの金属基体部材各ボア部からなる。本発明において、金属基体部材各ボア部とは、各保温用ゴム部材各ボア部が固定される部位を指す。よって、本発明のシリンダボア壁の保温具（１）又は（２）では、保温対象が２つのシリンダボアのボア壁の場合、金属基体部材は、２つの金属基体部材各ボア部からなり、また、保温対象が３つのシリンダボアのボア壁の場合、金属基体部材は、３つの金属基体部材各ボア部からなる。各々の金属基体部材各ボア部には、それぞれ、保温用ゴム部材各ボア部が固定される。そして、金属基体部材においては、一端から他端までが繋がっている。図４に示す形態例では、金属基体部材は、一端から他端までが、１つの金属板で形成されているが、本発明は、これに限定されるものではなく、金属基体部材は、一端から他端までが繋がっていれば、１つの金属板で形成されたものであっても、複数の金属板が繋ぎ合わされたものであってもよい。
【００６９】
また、本発明のシリンダボア壁の保温具（３）では、保温対象が１つのシリンダボアのボア壁の溝状冷却水流路側の壁面なので、金属基体部材は、１つの金属基体部材各ボア部からなる。そして、金属基体部材各ボア部には、保温用ゴム部材各ボア部が固定される。金属基体部材においては、一端から他端まで繋がっている。
【００７０】
本発明のシリンダボア壁の保温具（１）、（２）又は（３）では、付勢兼背面側流れ抑制部材は、金属基体部材の各ボア部毎に、１つ以上付設されている。つまり、本発明のシリンダボア壁の保温具（１）、（２）又は（３）を上側から見たときに、各金属基体部材各ボア部毎に、円弧方向の少なくとも１箇所に、付勢兼背面側流れ抑制部材が付設されている。なお、図４に示すシリンダボア壁の保温具２０では、付勢兼背面側流れ抑制部材は、各金属基体部材各ボア部毎に、その円弧方向に１箇所付設されている。また、図１７に示す形態例では、付勢兼背面側流れ抑制部材は、各金属基体部材各ボア部毎に、その円弧方向に２箇所ずつ付設されている。
【００７１】
本発明のシリンダボア壁の保温具（１）、（２）又は（３）では、溝状冷却水流路の中下部に設置されたときに、付勢兼背面側流れ抑制部材により、保温用ゴム部材が適切な押し付け力で付勢され、且つ、金属基体部材の背面側と溝状冷却水流路の中下部のシリンダボア側の壁面とは反対側の壁面との間の冷却水流れが抑制されるように、溝状冷却水流路の形状等に合わせて、付勢兼背面側流れ抑制部材の材質、形状、大きさ、設置位置、設置数等が、適宜選択される。
【００７２】
また、本発明のシリンダボア壁の保温具としては、溝状冷却水流路の中下部のシリンダボア側の壁面に向かって、金属基体部材が保温用ゴム部材を押し付けるように付勢するための部材と、金属基体部材と溝状冷却水流路の中下部のシリンダボア側の壁面とは反対側の壁面との間の冷却水流れを抑制するための部材が、別々に付設されている形態がある。
【００７３】
図１８に、本発明のシリンダボア壁の保温具の他の形態例を示す。図１８（Ａ）は斜視図であり、図１８（Ｂ）は端面図である。図１８中、シリンダボア壁の保温具４０は、金属基体部材４１と、保温用ゴム部材４２と、冷却水流れ抑制樹脂部材４３と、金属板バネ部材４４と、からなる。図１８に示す形態例では、金属板バネ部材４４は、溶接側端４７が金属基体部材４１に溶接されることにより、付設されている。
【００７４】
シリンダボア壁の保温具４０では、保温用ゴム部材４２の接触面４５から金属板バネ部
材４４の一端側４６までの距離が、溝状冷却水流路の幅よりも大きくなるように、金属板バネ部材４４が付設されている。そのため、シリンダボア壁の保温具４０が、溝状冷却水流路の中下部に設置されると、金属板バネ部材４４が、金属基体部材４１及び保温用ゴム部材４２と溝状冷却水流路のシリンダボア側の壁面とは反対側の壁面との間に挟まれることにより、金属板バネ部材４４の一端側４６には、金属基体部材４１に向かう方向に力が加えられる。このことにより、金属板バネ部材４４は、一端側４６が金属基体部材４１側に近づくように変形するので、金属板バネ部材４４には、元に戻ろうとする弾性力が生じる。そして、この弾性力により、金属基体部材４１は、溝状冷却水流路のシリンダボア側の壁面に向かって押され、その結果、金属基体部材４１により、ゴム部材４２が、溝状冷却水流路のシリンダボア側の壁面に押し付けられる。つまり、シリンダボア壁の保温具４０が、溝状冷却水流路の中下部に設置されることにより、金属板バネ部材４４が変形し、その変形が戻ろうとして生じる弾性力により、保温用ゴム部材４２を溝状冷却水流路のシリンダボア側の壁面に押し付けるように、金属基体部材４１が付勢される。
【００７５】
冷却水流れ抑制樹脂部材４３は、シリンダボア壁の保温具４０が、溝状冷却水流路の中下部に設置されたときに、金属基体部材４１と溝状冷却水流路の中下部のシリンダボア側の壁面とは反対側の壁面との間に流れる冷却水流れを抑制するための部材である。冷却水流れ抑制樹脂部材４３は、金属基体部材４１の背面と溝状冷却水流路の中下部の壁面（シリンダボア側とは反対側の壁面）との間を塞ぐように設置されるために、その間を冷却水が流れるのが抑制される。
【００７６】
つまり、本発明の他の形態のシリンダボア壁の保温具は、シリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面又は２つ以上のシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴するシリンダボア壁の保温具である。
【００７７】
本発明の第四の形態のシリンダボア壁の保温具（以下、本発明のシリンダボア壁の保温具（４）とも記載する。）は、４つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つ又は３つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴するシリンダボア壁の保温具である。
【００７８】
また、本発明の第五の形態のシリンダボア壁の保温具（以下、本発明のシリンダボア壁の保温具（５）とも記載する。）は、３つのシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの２つのシリンダボアに亘る分の壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴するシリンダボア壁の保温具である。
【００７９】
また、本発明の第六の形態のシリンダボア壁の保温具（以下、本発明のシリンダボア壁の保温具（６）とも記載する。）は、２つ以上のシリンダボアを有する内燃機関のシリンダブロックの溝状冷却水流路の中下部に設置され、全シリンダボアのボア壁のうちの一部のボア壁を保温するためのシリンダボア壁の保温具であり、
溝状冷却水流路の中下部のシリンダボア側の全壁面のうちの１つのシリンダボアの壁面に接触する保温用ゴム部材と、該保温用ゴム部材が固定される金属基体部材と、該金属基体部材の背面側に固定され、該溝状冷却水流路の中下部のシリンダボア側の壁面に向かって、該金属基体部材が該保温用ゴム部材を押し付けるように付勢する付勢部材と、該金属基体部材の背面側に固定され、該金属基体部材と溝状冷却水流路の中下部のシリンダボア側の壁面とは反対側の壁面との間の冷却水流れを抑制する背面側流れ抑制部材と、からなり、
該付勢部材が、該金属基体部材の各ボア部毎に、１つ以上付設されており、
該背面側流れ抑制部材が、１つ以上付設されていること、
を特徴するシリンダボア壁の保温具である。
【００８０】
本発明のシリンダボア壁の保温具（４）と本発明のシリンダボア壁の保温具（５）と本発明のシリンダボア壁の保温具（６）とは、保温具が設置されるシリンダブロックのシリンダボアの数が異なること及びゴム部材各ボア部の数が異なること以外は同様である。
【００８１】
本発明のシリンダボア壁の保温具（４）、（５）又は（６）は、内燃機関のシリンダブロックの溝状冷却水流路の中下部に設置される。本発明のシリンダボア壁の保温具（４）が設置されるシリンダブロックは、シリンダボアが直列に４つ以上並んで形成されているオープンデッキ型のシリンダブロックであるので、２つの端ボアと２つ以上の中間ボアとからなるシリンダボアを有している。また、本発明のシリンダボア壁の保温具（５）が設置されるシリンダブロックは、シリンダボアが直列に３つ並んで形成されているオープンデッキ型のシリンダブロックであるので、２つの端ボアと１つの中間ボアとからなるシリンダボアを有している。本発明のシリンダボア壁の保温具（６）が設置されるシリンダブロックは、シリンダボアが直列に２つ以上並んで形成されているオープンデッキ型のシリンダブロックであるので、２つの端ボアからなるシリンダボア又は２つの端ボアと１つ以上の中間ボアとからなるシリンダボアを有している。
【００８２】
本発明のシリンダボア壁の保温具（４）、（５）又は（６）が設置される位置は、溝状冷却水流路の中下部である。図２では、溝状冷却水流路１４の最上部９と最下部８の中間近傍の位置１０を、点線で示しているが、この中間近傍の位置１０から下側の溝状冷却水流路１４の部分を、溝状冷却水流路の中下部と呼ぶ。なお、溝状冷却水流路の中下部とは
、溝状冷却水流路の最上部と最下部の丁度中間の位置から下の部分という意味ではなく、最上部と最下部の中間位置の近傍から下の部分という意味である。よって、溝状冷却水流路の最下部からどの位置までを本発明の保温具で保温するか、つまり、保温用ゴム部材の上端の位置を溝状冷却水流路の上下方向のどの位置にするかは、適宜選択される。
【００８３】
本発明のシリンダボア壁の保温具（４）、（５）又は（６）に係る保温用ゴム部材は、溝状冷却水流路の中下部のシリンダボア側の壁面に接することにより、シリンダボア壁の中下部を保温する部材である。そのため、この保温用ゴム部材の接触面側の形状は、溝状冷却水流路の中下部のシリンダボア側の壁面に沿う形状である。そして、本発明のシリンダボア壁の保温具（４）、（５）又は（６）が、溝状冷却水流路の中下部に設置されることにより、付勢部材が金属基体部材を押し、そのことにより、保温用ゴム部材は、接触面側（金属基体部材側とは反対側の面側）が、溝状冷却水流路の中下部のシリンダボア側の壁面に接し、押し付けられる。
【００８４】
本発明のシリンダボア壁の保温具（４）、（５）又は（６）に係る保温用ゴム部材の材質は、本発明のシリンダボア壁の保温具（１）、（２）又は（３）に係る保温用ゴム部材と同様である。
【００８５】
保温用ゴム部材の厚みは、特に制限されず、適宜選択される。
【００８６】
金属基体部材は、保温用ゴム部材、付勢部材及び流れ抑制部材が固定される部材である。この金属基体部材は、付勢部材による付勢力により押されることにより、保温用ゴム部材を溝状冷却水流路の中下部のシリンダボア側の壁面に均一に押し付ける部材である。そのため、金属基体部材の形状は、保温用ゴム部材の背面側（接触面とは反対側の面側）に沿う形状である。
【００８７】
本発明のシリンダボア壁の保温具（４）、（５）又は（６）に係る金属基体部材の材質は、本発明のシリンダボア壁の保温具（１）、（２）又は（３）に係る金属基体部材の材質と同様である。
【００８８】
付勢部材は、金属基体部材の背面側に固定されている。この付勢部材は、本発明のシリンダボア壁の保温具が溝状冷却水流路の中下部に設置されることにより、溝状冷却水流路の中下部のシリンダボア側の壁面に向かって、金属基体部材が保温用ゴム部材を押し付けるように付勢するための部材である。なお、金属基体部材の背面側とは、保温用ゴム部材が固定される面とは反対側を指す。
【００８９】
付勢部材としては、金属板バネ、コイルバネ、重ね板バネ、トーションバネ等の金属弾性部材や、弾性ゴム等が挙げられる。金属弾性部材の材質は、特に制限されないが、耐ＬＬＣ性が良く及び強度が高い点で、ステンレス鋼（ＳＵＳ）、アルミニウム合金等が好ましい。弾性ゴムとしては、特に制限されないが、ソリッドゴム、膨張ゴム、発泡ゴム、軟性ゴム等のゴムや、シリコーン系ゲル状素材等が挙げられる。本発明のシリンダボア壁の保温具（４）、（５）又は（６）に係るソリッドゴム、膨張ゴム、発泡ゴム、軟性ゴム等のゴム、シリコーン系ゲル状素材は、本発明のシリンダボア壁の保温具（１）、（２）又は（３）における保温用ゴム部材に係るソリッドゴム、膨張ゴム、発泡ゴム、軟性ゴム等のゴム、シリコーン系ゲル状素材と同様である。付勢部材を金属基体部材に付設する方法としては、特に制限されず、例えば、図１８に示す形態例のように、付勢部材４４を、金属基体部材４１に直接固定する方法や、図２１に示す形態例のように、縦長の矩形の付勢部材５３が形成されるように、切り落とし部分５２が切り落とされている付勢部材付設用部材５４を作製し、これを金属基体部材４１に重ね合わせて、折り曲げ部５５を折り曲げることにより、ゴム部材４２に金属基体部材４１側から付勢部材５３を固定して、金属基
体部材に付勢部材を付設する方法が挙げられる。なお、図１８（Ａ）は斜視図であり、図１８（Ｂ）は図１８（Ａ）のＡ−Ａ線端面図である。
【００９０】
本発明のシリンダボア壁の保温具（４）、（５）又は（６）では、付勢部材は、金属基体部材各ボア部毎に、１つ以上付設されている。つまり、本発明のシリンダボア壁の保温具（４）、（５）又は（６）を上側から見たときに、各金属基体部材各ボア部毎に、その円弧方向の少なくとも１箇所に、付勢部材が付設されている。
【００９１】
付勢部材の形態、材質、形状、大きさ、設置位置、設置数等は、保温用ゴム部材が適切な押し付け力で付勢されるように、溝状冷却水流路の形状等に合わせて、適宜選択される。
【００９２】
背面側流れ抑制部材は、金属基体部材の背面側に固定されている。この背面側流れ抑制部材は、本発明のシリンダボア壁の保温具が溝状冷却水流路の中下部に設置されることにより、金属基体部材と溝状冷却水流路の中下部のシリンダボア側の壁面とは反対側の壁面との間を流れる冷却水流れを抑制するための部材である。
【００９３】
背面側流れ抑制部材は、特に制限されず、ゴム、樹脂、金属板等が挙げられる。背面側流れ抑制部材としては、ゴム、樹脂が好ましい。背面側流れ抑制部材の形状は、本発明のシリンダボア壁の保温具が、溝状冷却水流路の中下部に設置された時に、金属基体部材の背面側と溝状冷却水流路の中下部のシリンダボア側の壁面とは反対側の壁面との間の冷却水流れを抑制できる形状であれば、特に制限されない。
【００９４】
背面側流れ抑制部材は、本発明のシリンダボア壁の保温具（４）、（５）又は（６）を上から見たときに、冷却水流れ方向の一か所以上に金属基体部材の背面側に設置されている。つまり、金属基体部材の一端から他端までのどこか一か所又は二か所以上に、冷却水の流路を塞ぐように、背面側流れ抑制部材が設置されている。そして、本発明のシリンダボア壁の保温具（４）、（５）又は（６）では、背面側流れ抑制部材が、金属基体部材の各ボア部毎に、１つ以上付設されていることが、好ましい。
【００９５】
背面側流れ抑制部材の形態、材質、形状、大きさ、設置位置、設置数等は、冷却水の流れが抑制されるように、溝状冷却水流路の形状等に合わせて、適宜選択される。
【００９６】
本発明のシリンダボア壁の保温具（４）又は（５）では、保温対象が隣り合う２つのシリンダボアのボア壁、すなわち、２つのシリンダボアに亘る分のボア壁の場合、保温用ゴム部材は、シリンダボアのボア壁の溝状冷却水流路側の全壁面（すなわち、溝状冷却水流路のシリンダボア側の全壁面）のうち、その２つのシリンダボアに亘る分のボア壁の壁面（すなわち、その２つのシリンダボアに亘る分の溝状冷却水流路のシリンダボア側の壁面）且つ中下部の壁面と接触し、また、保温対象が連続して並ぶ３つのシリンダボアのボア壁、すなわち、３つのシリンダボアに亘る分のボア壁の場合、保温用ゴム部材は、シリンダボアのボア壁の溝状冷却水流路側の全壁面（すなわち、溝状冷却水流路のシリンダボア側の全壁面）のうち、その３つのシリンダボアに亘る分のボア壁の壁面（すなわち、その３つのシリンダボアに亘る分の溝状冷却水流路のシリンダボア側の壁面）且つ中下部の壁面と接触する。よって、本発明のシリンダボア壁の保温具（４）又は（５）では、保温対象が２つのシリンダボアのボア壁の場合、保温用ゴム部材は、２つの保温用ゴム部材各ボア部からなり、また、保温対象が３つのシリンダボアのボア壁の場合、保温用ゴム部材は、３つの保温用ゴム部材各ボア部からなる。そして、本発明のシリンダボア壁の保温具（４）又は（５）が設置される位置、言い換えると、保温用ゴム部材が接触する溝状冷却水流路の中下部のシリンダボア側の壁面は、一端の端ボア側の壁面、他端の端ボア側の壁面、又は中間ボア側の壁面である。本発明のシリンダボア壁の保温具（４）又は（５）にお
いて、保温用ゴム部材は、一端の端ボア側の壁面、他端の端ボア側の壁面及び中間ボア側の壁面の各壁面のうちの２つ又は３つに接触する部位を有している。また、本発明のシリンダボア壁の保温具（６）では、保温対象が１つのシリンダボアのボア壁であるので、保温用ゴム部材は、シリンダボアのボア壁の溝状冷却水流路側の全壁面（すなわち、溝状冷却水流路のシリンダボア側の全壁面）のうち、その１つのシリンダボアのボア壁の壁面（すなわち、その１つのシリンダボアの溝状冷却水流路のシリンダボア側の壁面）且つ中下部の壁面と接触する。本発明のシリンダボア壁の保温具（６）では、保温用ゴム部材は、１つの保温用ゴム部材各ボア部からなる。そして、本発明のシリンダボア壁の保温具（６）が設置される位置、言い換えると、保温用ゴム部材が接触する溝状冷却水流路の中下部のシリンダボア側の壁面は、一端の端ボア側の壁面、他端の端ボア側の壁面、又は中間ボア側の壁面である。本発明のシリンダボア壁の保温具（６）において、保温用ゴム部材は、一端の端ボア側の壁面、他端の端ボア側の壁面及び中間ボア側の壁面の各壁面のうちの１つに接触する部位を有している。
【００９７】
本発明のシリンダボア壁の保温具（４）又は（５）では、全ての保温用ゴム部材各ボア部が、連続していてもよいし、あるいは、連続していなくてもよい。そして、本発明のシリンダボア壁の保温具（４）又は（５）では、全ての保温用ゴム部材各ボア部が連続していることが、シリンダボア壁の保温具が、溝状冷却水流路内で、振動や冷却水の流れによる位置ずれを起こし難くなる点で好ましい。
【００９８】
また、本発明のシリンダボア壁の保温具（６）では、保温用ゴム部材（１つの保温用ゴム部材各ボア部）が、一続きのものであってもよいし、あるいは、複数に分割されていてもよい。
【００９９】
なお、本発明のシリンダボア壁の保温具（４）、（５）又は（６）において、保温用ゴム部材は、溝状冷却水流路の中下部のシリンダボア側の壁面のうち、保温対象となる壁面（保温対象となる１つ、２つ又は３つのシリンダボアのボア壁の溝状冷却水流路側の壁面）の全て隈なく覆うものであってもよいし、あるいは、保温対象となる壁面の一部であって且つ保温のために必要な箇所のみを覆うものであってもよい。
【０１００】
本発明のシリンダボア壁の保温具（４）又は（５）では、金属基体部材は、２つ又は３つの金属基体部材各ボア部からなる。よって、本発明のシリンダボア壁の保温具（４）又は（５）では、保温対象が２つのシリンダボアのボア壁の場合、金属基体部材は、２つの金属基体部材各ボア部からなり、また、保温対象が３つのシリンダボアのボア壁の場合、金属基体部材は、３つの金属基体部材各ボア部からなる。各々の金属基体部材各ボア部には、それぞれ、保温用ゴム部材各ボア部が固定される。そして、金属基体部材においては、一端から他端までが繋がっている。金属基体部材は、一端から他端までが繋がっていれば、１つの金属板で形成されたものであっても、複数の金属板が繋ぎ合わされたものであってもよい。
【０１０１】
また、本発明のシリンダボア壁の保温具（６）では、保温対象が１つのシリンダボアのボア壁の溝状冷却水流路側の壁面なので、金属基体部材は、１つの金属基体部材各ボア部からなる。そして、金属基体部材各ボア部には、ゴム部材各ボア部が固定される。金属基体部材においては、一端から他端まで繋がっている。
【０１０２】
本発明のシリンダボア壁の保温具（１）、（２）、（３）、（４）、（５）又は（６）は、溝状冷却水流路の中下部のどの位置に設置されるか、言い換えると、全シリンダボアのボア壁のうち、どのシリンダボアのボア壁の保温用として用いられるかは、適宜選択される。図９では、中間ボア１２ｂ１のボア壁１３ｂ１及び中間ボア１２ｂ２のボア壁１３ｂ２が保温されるように、シリンダボア壁の保温具２０が、溝状冷却水流路１４の中下部
に設置されているが、他には、図１９及び図２０に示す形態例が挙げられる。図１９では、端ボア１２ａ１のボア壁１３ａ１及び中間ボア１２ｂ１のボア壁１３ｂ１が保温されるように、シリンダボア壁の保温具３０が、溝状冷却水流路１４の中下部に設置されており、また、図２０では、端ボア１２ａ１のボア壁１３ａ１、中間ボア１２ｂ１のボア壁１３ｂ１及び中間ボア１２ｂ２のボア壁１３ｂ２が保温されるように、シリンダボア壁の保温具３１が、溝状冷却水流路１４の中下部に設置されている。
【０１０３】
本発明の内燃機関は、溝状冷却水流路の中下部に、本発明のシリンダボア壁の保温具（１）、（２）、（３）、（４）、（５）又は（６）が設置されていることを特徴とする内燃機関である。本発明の内燃機関において、本発明のシリンダボア壁の保温具が設置されている箇所は、溝状冷却水流路の中下部のうち、保温が必要とされる箇所である。つまり、本発明の内燃機関では、保温が必要な箇所に、選択的に、本発明のシリンダボア壁の保温具が設置されている。
【０１０４】
本発明の自動車は、本発明の内燃機関を有することを特徴とする自動車である。
【０１０５】
従来の溝状冷却水流路の中下部のシリンダボア側の全壁面を囲むように保温部が形成されている保温具の場合、保温が必要な箇所のみを選択的に保温するようなことはできない。
【０１０６】
それに対して、本発明のシリンダボア壁の保温具（１）、（２）、（３）、（４）、（５）又は（６）では、保温が必要な箇所のみを選択的に保温できる。また、本発明のシリンダボア壁の保温具（１）、（２）、（４）又は（５）では、付勢兼背面流れ抑制部材又は付勢部材が、金属基体部材の各ボア部毎に、１つ以上付設されているので、ゴム部材が、保温対象となる溝状冷却水流路の中下部のシリンダボア側の壁面に、まんべんなく押し付けられる。更に、本発明のシリンダボア壁の保温具（１）、（２）、（４）又は（５）では、金属基体部材が、各ボア部毎に分断されているのではなく、全てが繋がっているので、本発明のシリンダボア壁の保温具（１）、（２）、（４）又は（５）は、溝状冷却水流路内で、振動や冷却水の流れによる位置ずれを起こし難い。
【産業上の利用可能性】
【０１０７】
本発明によれば、内燃機関のシリンダボア壁の上側と下側との変形量の違いを少なくすることができるので、ピストンの摩擦を低くすることができるため、省燃費の内燃機関を提供できる。
【符号の説明】
【０１０８】
８                最下部
９                最上部
１０              中間近傍の位置
１１              シリンダブロック
１２              ボア
１２ａ１、１２ａ２  端ボア
１２ｂ１、１２ｂ２  中間ボア
１３              シリンダボア壁
１４              溝状冷却水流路
１５              冷却水供給口
１６              冷却水排出口
１７              溝状冷却水流路のシリンダボア側の壁面
１７ａ、１７ｂ    溝状冷却水流路のシリンダボア側の全壁面のうち、片側半分側の壁面１８              溝状冷却水流路のシリンダボア側の壁面とは反対側の壁面
２０、４０        シリンダボア壁の保温具
２１、４１        金属基体部材
２２、４２        保温用ゴム部材
２３              背面側ゴム部材
２４              折り曲げ部
２５、２６、４５  接触面
３０              金属板
３１              切り落とし部分
３３、３４        背面
３５              保温用ゴム部材端ボア部
３６              保温用ゴム部材中間ボア部
３７              金属基体部材端ボア部
３８              金属基体部材中間ボア部
４３              背面側流れ抑制部材
４４              付勢部材
４６              一端
４７              溶接側端
【図１】
2018087579.tif 000003
【図２】
2018087579.tif 000004
【図３】
2018087579.tif 000005
【図４】
2018087579.tif 000006
【図５】
2018087579.tif 000007
【図６】
2018087579.tif 000008
【図７】
2018087579.tif 000009
【図８】
2018087579.tif 000010
【図９】
2018087579.tif 000011
【図１０】
2018087579.tif 000012
【図１１】
2018087579.tif 000013
【図１２】
2018087579.tif 000014
【図１３】
2018087579.tif 000015
【図１４】
2018087579.tif 000016
【図１５】
2018087579.tif 000017
【図１６】
2018087579.tif 000018
【図１７】
2018087579.tif 000019
【図１８】
2018087579.tif 000020
【図１９】
2018087579.tif 000021
【図２０】
2018087579.tif 000022
【図２１】
2018087579.tif 000023